(57)【要約】  【課題】  受信データの保管領域を効率よく確保できるファクシミリ装置を提供する。  【解決手段】  ファクシミリ装置は、インク貯留部と、ファクシミリの受信データを記憶する記憶部と、インク貯留部に貯留されているインクを吐出して受信データに基づく画像を被記録媒体に形成する画像形成部と、画像形成部で吐出不良を生じるリスクの度合いを示す吐出不能度を判断する吐出不能度判断部と、前記記憶部に記憶される受信データの管理をする受信データ管理部と、を備える。受信データ管理部は、吐出不能度判断部によって判断された吐出不能度に応じて、記憶部における受信データの記憶許容量を増減させる。【選択図】図４
2018174427.tif 000002
【特許請求の範囲】
【請求項１】
インク貯留部と、
ファクシミリの受信データを記憶する記憶部と、
前記インク貯留部に貯留されているインクを吐出して前記受信データに基づく画像を被記録媒体に形成する画像形成部と、
前記画像形成部で吐出不良を生じるリスクの度合いを示す吐出不能度を判断する吐出不能度判断部と、
前記記憶部に記憶される受信データの管理をする受信データ管理部と、を備え、
前記受信データ管理部は、前記吐出不能度判断部によって判断された吐出不能度に応じて、前記記憶部における前記受信データの記憶許容量を増減させる、ファクシミリ装置。
【請求項２】
前記受信データ管理部は、前記吐出不能度が上昇すると、前記記憶部における前記受信データの記憶許容量を増加させ、前記吐出不能度が下降すると、前記記憶部における前記受信データの記憶許容量を減少させる、請求項１に記載のファクシミリ装置。
【請求項３】
前記吐出不能度判断部は、吐出不良を生じるリスクを上昇させるリスク上昇因子を検知すると、前記吐出不能度が上昇したと判断し、
前記リスク上昇因子には、前記インク貯留部のインクの増加、手動操作による前記画像形成部のクリーニング実行指令、および、一定期間以上の電源ＯＦＦ状態の継続、のうち少なくともいずれか１つが含まれる、請求項１または２に記載のファクシミリ装置。
【請求項４】
前記吐出不能度判断部は、吐出不良を生じるリスクを下降させるリスク下降因子を検知すると、前記吐出不能度が下降したと判断し、
前記リスク下降因子には、パネル手動操作による画像記録の実行指令、および、排出トレイからの被記録媒体の取出し、のうち少なくともいずれか１つが含まれる、請求項１ないし３のいずれか１項に記載のファクシミリ装置。
【発明の詳細な説明】
【技術分野】
【０００１】
本発明は、受信データに基づいて用紙に画像をインクジェット方式で記録するファクシミリ装置に関する。
【背景技術】
【０００２】
インクジェット方式で用紙に画像を記録するファクシミリ装置においては、データ受信直後に画像記録を試みても、インク吐出不良のために満足な画像を得られない事態が想定される。そこで、ファクシミリ装置のなかには、記憶部に受信データを保管するための領域を確保しているもの、換言すれば、バックアップ機能を備えているものがある。この機能があれば、上記事態が生じても、インク吐出性能が回復してから、記憶部に保管してある受信データを再度画像記録できる。
【先行技術文献】
【特許文献】
【０００３】
【特許文献１】特開２０００−９２２９６号公報
【発明の概要】
【発明が解決しようとする課題】
【０００４】
このようなバックアップ機能を備えているファクシミリ装置においては、使用者がインク吐出不良に気づくまでの間、すなわち、インク吐出不良が生じてから使用者がインク吐出不良に気づくまでの期間（例えば、数日間）、記憶部は全ての受信データを保管するために十分な記憶容量を有していることが望ましい。
【０００５】
しかし、大容量の記憶部を実装すると、ファクシミリ装置の生産コストが高くなる。また、複合機の場合、記憶部が、ファクシミリの受信データの保管のみならず、コピー用の画像データや印刷用のジョブデータの一時記憶にも利用される。受信データのバックアップに使用される容量が大きければ、コピーや印刷の実行に必要な空き容量の不足を招き、その実行に支障を来すおそれがある。
【０００６】
本発明は、受信データの保管領域を効率よく確保できるファクシミリ装置を提供することを目的としている。
【課題を解決するための手段】
【０００７】
本発明の一形態に係るファクシミリ装置は、インク貯留部と、ファクシミリの受信データを記憶する記憶部と、前記インク貯留部に貯留されているインクを吐出して前記受信データに基づく画像を被記録媒体に形成する画像形成部と、前記画像形成部で吐出不良を生じるリスクの度合いを示す吐出不能度を判断する吐出不能度判断部と、前記記憶部に記憶される受信データの管理をする受信データ管理部と、を備え、前記受信データ管理部は、前記吐出不能度判断部によって判断された吐出不能度に応じて、前記記憶部における前記受信データの記憶許容量を増減させる。
【０００８】
前記構成によれば、インク吐出不良を生じるリスクの度合いに応じて受信データの記憶許容量が変化するので、効率よく受信データの保管領域を確保できる。
【発明の効果】
【０００９】
本発明によれば、受信データの保管領域を効率よく確保できるファクシミリ装置を提供できる。
【図面の簡単な説明】
【００１０】
【図１】複合機の斜視図である。
【図２】プリンタ部の概念図である。
【図３】複合機の制御系の概念図である。
【図４】吐出不能度変更処理を示すフローチャートである。
【図５】インク充填時における吐出不能度変更処理を示すフローチャートである。
【図６】手動操作によるクリーニング処理実行時における吐出不能度変更処理を示すフローチャートである。
【図７】パネル操作による画像記録時における吐出不能度変更処理を示すフローチャートである。
【図８】パネル操作によらない画像記録時における吐出不能度変更処理を示すフローチャートである。
【図９】電源ＯＮ状態になったときにおける吐出不能度変更処理を示すフローチャートである。
【発明を実施するための形態】
【００１１】
以下、図面を参照しながら実施形態について説明する。全図を通じて同一または対応する要素には同一の符号を付して重複する詳細な説明を省略する。
【００１２】
以下の説明では、ファクシミリ装置として複合機１（図１を参照）を例示する。方向は、複合機１が水平面に置かれた使用状態を基準にしている。操作パネル６が配置されている面を「前面（正面）」とし、その裏面を「後面（背面）」とする。複合機１の前面と対峙している使用者の左手側を「左方」とする。
【００１３】
図１に示す複合機１は、筐体２、プリンタ部３、読取部４、および操作パネル６を備えている。この複合機１は、ファクシミリ機能を有し、電話回線と接続可能である。筐体２は概略直方体状に形成されている。読取部４は、原稿Ｄ上に形成されている画像を読み取るものであり、筐体２の上部に配設されている。操作パネル６は、筐体２の前面上部に取り付けられており、タッチパネル式のディスプレイ、ボタン、ランプ等が板状のパネルに取り付けられることで構成されている。原稿Ｄを読取部４にセットし、操作パネル６でファックス送信の実行指令を入力すると、読取部４で原稿Ｄ上に形成されている画像が読み取られ、読み取られた画像データが電話回線を通じてファックス送信される。複合機１は、線倭回線を通じて受信データを受信する。プリンタ部３は、受信データに基づいて被記録媒体Ｍに画像を形成する。プリンタ部３は、筐体２の下部に配設されている。
【００１４】
筐体２は、操作パネル６よりも下方で前面に形成された開口２ａを有している。この開口２ａには、プリンタ部３を構成する排出トレイ７、第１給送トレイ８および第２給送トレイ９が、上下方向に積み重ねられた状態で配設されている。給送トレイ８、９は前方へと抜取り可能に筐体２に挿入されている。
【００１５】
図２に示すように、第１および第２給送トレイ８、９は、複数のシート状の被記録媒体Ｍを重ねた状態で載置できる。筐体２内には、各給送トレイ８、９に載置されたシートＳが給送されるシート給送路が形成されている。シート給送路１１は、湾曲部１１ａおよび直線部１１ｂを含む。湾曲部１１ａは、第１給送トレイ８および第２給送トレイ９の後端部から、後方に凸に湾曲しながら上方へ延びる。直線部１１ｂは、湾曲部１１ａの上端部から排出トレイ７へと前方へ直線状に延在する。なお、シート給送路１１を表す鎖線に付された矢印は、被記録媒体Ｍの給送方向を表している。
【００１６】
プリンタ部３は、各給送トレイ８、９に載置されている被記録媒体Ｍを給送方向に給送する給送部１２、および、給送部１２によって給送されている被記録媒体Ｍに画像を形成する画像形成部１３を有している。本実施形態では、画像形成部１３が、インクを吐出するインクジェットヘッドによって構成されている。プリンタ部３は、画像形成部１３で吐出されるインクを貯留するインク貯留部１４を備えている。インク貯留部１４は、一例として、蓋付きのタンク状に形成されており、使用者は、蓋を開けてインクを補充できるようになっている。インク貯留部１４は、インクジェットヘッドとインクを流通させるインク流通路１４ａを介し、機械的かつ流体的に接続されている。
【００１７】
給送部１２は、第１および第２給送ローラ１５ａ、１５ｂ、搬送ローラ対１５ｃ、および排出ローラ対１５ｄを含む。また、給送部１２は、これら４種のローラまたはローラ対１５ａ〜１５ｄを回転駆動する一以上のアクチュエータ（図示略）を備える。第１および第２給送ローラ１５ａ、１５ｂは、第１および第２給送トレイ８、９のそれぞれと対応する。各給送ローラ１５ａ、１５ｂは、下向きに付勢され、対応する給送トレイ８、９内で重ねて載置されている被記録媒体Ｍの１つに接触している。搬送ローラ対１５ｃおよび排出ローラ対１５ｄは、直線部１１ｂ上に給送方向（前後方向）に離れて配置されており、画像形成部１３は、これらローラ対１５ｃ、１５ｄの間に配設されている。
【００１８】
第１給送ローラ１５ａが回転すると、第１給送トレイ８内の被記録媒体Ｍがシート給送路１１に進入する。被記録媒体Ｍは、湾曲部１１ａの下端部に後から進入し、湾曲部１１ａを上向きに通過する過程で給送方向を前向きに変え、直線部１１ｂの後端部に後から進入し、搬送ローラ対１５ｃの間に後から進入する。第２給送ローラ１５ｂが回転すると、第２給送トレイ９内の被記録媒体Ｍがシート給送路１１に進入する。被記録媒体Ｍは、第１給送トレイ８と同様、湾曲部１１ａ通過後、搬送ローラ対１５ｃの間に後から進入する。被記録媒体Ｍは、搬送ローラ対１５ｃにより前方へ給送され、排出ローラ対１５ｄの間に後から進入する。その過程で、画像形成部１３から下向きにインクが吐出され、それにより被記録媒体Ｍに画像が形成される。被記録媒体Ｍは、排出ローラ対１５ｄにより前方へ給送され、画像形成済の被記録媒体Ｍが排出トレイ７で支持される。このプリンタ部３の動作により、複合機１がファックス受信したとき、受信データに基づいて画像形成部および給送部が動作して、受信データに係る画像がインクによって被記録媒体Ｍに形成される。
【００１９】
詳細な構造図示を省略するが、プリンタ部３は、画像形成部１３のインク吐出性能を回復するためのメンテナンス装置１６（図３を参照）を備えている。メンテナンス装置１６には、画像形成部１３に密着してインクを吐出するノズル孔を密閉空間に開口させるキャップ部材、密閉空間に負圧を印加してインクを密閉空間にパージさせるパージ機構、および、強制吐出されたインクを受けるインク受け部材が含まれる。
【００２０】
図３は、複合機１の制御系を示す概念図である。この制御系は、ファクシミリ受信データの管理を行う。複合機１の制御部５０は、電話回線を通じて複合機１にファクシミリ送信されてくるデータを受信するファクスデータ受信部６１、および、ファクシミリの受信データを記憶する記憶部６４を備えている。
【００２１】
この記憶部６４は、揮発性メモリであり、受信データおよびその他データの一時記憶に利用される。「その他データ」には、外部のホストＰＣから送られてくる印刷ジョブに係るジョブデータ、読取部で読み取られた原稿上の画像に係る画像データが含まれる。画像形成部１３は、ジョブデータあるいは画像データに基づいて被記録媒体に画像を形成することができ、複合機１は、ファクシミリ機能だけでなく、プリンタ機能やコピー機能も有している。
【００２２】
ファクシミリ機能を有する複合機１は、いわゆるバックアップ機能を有している。記憶部６４には、受信データを蓄積記憶するための領域が確保されている。これにより、万が一画像形成部１３でインク吐出不良が生じて、データ受信直後の画像形成部１３の動作で被記録媒体Ｍに満足な画像が得られない場合、あるいは、被記録媒体Ｍの不足で受信データに係る画像を形成できない場合においても、追って記憶部６４に保管してある受信データを用いて再度画像形成を試行できる。なお、ファクシミリの受信データを受信した際、その受信データを記憶すると記憶部６４の保管領域を超過する場合、最も古い受信データから１件ずつ削除される。
【００２３】
受信データの保管領域を大きくすると、プリンタ機能やコピー機能の実行時に、ジョブデータあるいは画像データを一時記憶する領域が小さくなるので、当該実行に支障を来すおそれがある。そこで、この制御系では、インク吐出不良のリスク度合い（以下、吐出不能度という）に応じて、受信データの保管領域を増減させる処理を実行する。
【００２４】
そのための構成として、制御部５０は、吐出不能度判断部６２、受信データ管理部６３、タイマ６５を有する。なお、制御部５０は、画像形成部１３を駆動するヘッドドライバ６６、メンテナンス装置１６を駆動するメンテナンス装置ドライバ６７を有する。また、制御部５０は、操作パネル６、インク貯留部カバーセンサ５１、および、排出トレイセンサ５２と接続されている。筐体２の所定箇所にはインク貯留部カバー（図示略）が取り付けられており、カバーを開放すると使用者がインク貯留部１４にアクセスできるようになっている。カバーを閉鎖すると、インク貯留部１４が筐体２に収容される。インク貯留部カバーセンサ５１は、このカバーが開放されているのか閉鎖されているのかを検出する。排出トレイセンサ５２は、排出トレイ７に被記録媒体Ｍが支持されているのか否かを検出する。
【００２５】
吐出不能度判断部６２は、吐出不能度を判断する。受信データ管理部６３は、記憶部６４に記憶される受信データを管理する。特に、本実施形態では、受信データ管理部６３は、吐出不能度判断部６２によって判断された吐出不能度に応じて、記憶部６４における受信データの記憶許容量を増減させる。以下、その具体的処理についてフローチャートを参照して説明する。また、単に「記憶許容量」という場合、記憶部６４における受信データの記憶許容量、すなわち、受信データの保管領域を指す。また、記憶許容量には、記憶部６４で受信データを保管するために確保されるデータサイズ（単位：バイト）、受信データの保管件数、および、受信データの保管期間が含まれる。
【００２６】
図４は、吐出不能度に応じて記憶許容量を増減させる吐出不能度変更処理Ｓ１０を示すフローチャートである。この処理Ｓ１０は、後述のとおり、吐出不能度判断部６２によって吐出不能度が変更された場合に、実行される。吐出不能度が中程度であれば（Ｓ１：中）、記憶許容量を通常のものとする（Ｓ３Ｍ）。吐出不能度が高ければ（Ｓ１：高）、記憶許容量を通常よりも小さくする（Ｓ３Ｈ）。
【００２７】
ここで、吐出不能度が高い場合とは、吐出不能度が中程度から上昇した場合である。吐出不能度が中程度である場合には、吐出不能度が高い状態から中程度へと低下する場合と、吐出不能度が低い状態から中程度へと上昇する場合とある。吐出不能度が中程度へと上昇した場合、吐出不能度が高くなった場合、記憶許容量は減少する。そのため、記憶部６４で既に保管されている受信データが、変更後の記憶許容量を超えているという事態が生じ得る。
【００２８】
そのため、記憶許容量が通常へと変更になった場合、あるいは、記憶許容量が小さくなるよう減少した場合には（Ｓ３Ｍ or Ｓ３Ｈ）、既に保管されている受信データが記憶許容量を超えているか否かをチェックする（Ｓ４）。超過があれば（Ｓ５：ＹＥＳ）、最も古い受信データを消去する（Ｓ６）。超過がある間は消去の処理を１件ずつ進めていき、保管されている受信データが記憶許容量に収まった時点で（Ｓ５：ＮＯ）、当該処理を終了する。
【００２９】
吐出不能度が低ければ（Ｓ１：低）、記憶部６４にジョブデータや画像データのように、ファクシミリ機能以外の機能の実行に際して被記録媒体Ｍへの画像の形成に必要なデータが残っているか否かを判断する（Ｓ２）。残っていれば（Ｓ２：ＮＯ）、当該機能の実行完了および当該データの消去を待機する。当該データが消去されれば（Ｓ２：ＹＥＳ）、記憶許容量を通常よりも大きくする（Ｓ３Ｌ）。記憶許容量は大きくなるので、既に保管されている受信データが、記憶許容量を超えているという事態は生じ得ない。そのため、記憶許容量を増加させると、そこで当該処理は終了する。
【００３０】
このように、本実施形態によれば、インク吐出不良のリスクの度合いに応じて、記憶許容量が増減する。吐出不能度が上昇すると、記憶許容量が減少する。吐出不能度が下降すると、記憶許容量が増加する。インク吐出不良を生じるリスクの度合いに応じて受信データの記憶許容量が変化するので、効率よく受信データの保管領域を確保できる。
【００３１】
吐出不能度判断部６２は、吐出不能度を上昇させるリスク上昇因子を検知すると、吐出不能度が上昇したと判断する。吐出不能度判断部６２は、吐出不能度を下降させるリスク下降因子を検知すると、吐出不能度が下降したと判断する。
【００３２】
以下、リスク上昇因子およびリスク下降因子を検知する処理の具体例についてフローチャートを参照して説明する。受信データ管理部６３は、吐出不能度の上昇または下降が検知されると、それに応じて処理Ｓ１０を実行し、それにより記憶許容量を増減させる。ただし、既に吐出不能度が高と判断されている状況で、吐出不能度の上昇が検知されても、吐出不能度は高で維持され、記憶許容量は変化しない。同様に、既に吐出不能度が低と判断されている状況で、吐出不能度の下降が検知されても、吐出不能度は低で維持され、記憶許容量は変化しない。
【００３３】
図５に示すように、インク貯留部のインクの増加は、リスク上昇因子として検知される。インクには、顔料インクあるいは染料インクのようにインクの組成、黒インク、シアンインク、マゼンタインクあるいはイエローインクのようにインクの色など、複数の種類がある。誤ったインクがインク貯留部に補充される可能性があり、そうなると、インク吐出不良を生じるおそれが高まる。また、インク貯留部の蓋が適正に閉まらず、インクが乾燥する可能性があり、そうなると、インク吐出不良を生じるおそれが高まる。
【００３４】
インク貯留部カバーセンサ５１によりカバーの開放が検知されると（Ｓ１１）、制御部５０は充填方法の案内画面をディスプレイに表示させる（Ｓ１２）。しかし、実際に充填が行われなければ（Ｓ１３：ＮＯ）、カバーの閉鎖検知後（Ｓ１４）、当該処理が終了する。実際に充填が行われれば（Ｓ１３：ＹＥＳ）、吐出不能度を上昇させて図５に示す処理Ｓ１０を実行する。その後は、カバーの閉鎖検知後（Ｓ１４）、当該処理を終了する。
【００３５】
図６に示すように、使用者の手動操作による画像形成部１３のクリーニング実行指令は、リスク上昇因子である。クリーニング実行指令が使用者により自発的に行われるのは、使用者がインク吐出性能に違和感がある状況だと想定される。クリーニング処理の実行により、インク吐出性能は回復されると考えられるが、この複合機１ではより安全を見て、クリーニング処理の実行指令をリスク上昇因子と捉える。操作パネル６において使用者が手動操作によりクリーニング処理の実行指令が入力されると（Ｓ３１）、制御部５０は、メンテナンス装置ドライバ６７を制御し、メンテナンス装置１６を動作させる。一方で、吐出不能度判断部６２は、この実行指令の入力によって吐出不能度が上昇したと判断し、受信データ管理部６３が、前述の吐出不能度変更処理Ｓ１０を実行する。
【００３６】
図７に示すように、パネル手動操作による画像記録の実行指令、その後の再印字の不実行は、リスク上昇因子として検知される。当該画像記録の実行指令、その後の再印字の実行は、リスク下降因子として検知される。図８では、パネル手動操作による画像記録の一例として、いわゆる「みるだけ受信印字」を例示している。「みるだけ受信印字」では、使用者による操作に基づき、ディスプレイに記憶部６４に保管されている受信データに係る画像を表示させる。これにより、使用者は表示された画像を見て、その印字要否を検討可能になる。ディスプレイには、使用者に画像印字要否の指令入力を促すメッセージが表示される。使用者が画像印字の実行指令を入力すれば、当該画像が被記録媒体Ｍに形成され、画像形成済の被記録媒体Ｍが排出トレイ７で支持される。
【００３７】
使用者は、操作パネル６を操作しているので、排出トレイ７に給送された画像形成済の被記録媒体Ｍを即座に確認すると考えられる。そのため、この制御では、排出トレイ７まで給送された被記録媒体Ｍが使用者により取り上げられたか否かを検出する排出トレイ７の検出結果を用いる必要はない（ただし、用いてもよい）。
【００３８】
なお、その他、パネル手動操作による画像記録の実行指令には、読取部４で読み取った原稿画像の被記録媒体への印字（コピー）が含まれる。また、ＵＳＢメモリやＳＤカードなどの記録媒体を筐体２に設けられたスロットに差し込み、操作パネル６での操作に基づいて記録媒体内のデータに係る画像を被記録媒体に印字することが含まれる。
【００３９】
図７に示すように、画像から選択されたファクシミリの受信データを印字し（Ｓ４１）、その印字が完了すると、制御部５０はディスプレイに印字が完了した旨示す画像を表示させる（Ｓ４２）。画像の表示後、タイマ６５で計時しながら所定時間待機する（Ｓ４３）。所定時間が経過すると、その期間内に吐出不能度の上昇が検知されて処理Ｓ１０が実行されたか否かを確認する（Ｓ４４）。処理Ｓ１０が実行されていれば（Ｓ４５：ＹＥＳ）、当該処理は完了する。処理Ｓ１０が実行されていなければ（Ｓ４５：ＮＯ）、所定時間が経過する間に、同じ受信データの再印字があったか否かを確認する（Ｓ４６）。
【００４０】
再印字を使用者が望む原因としては、インク吐出不良が生じていた可能性も想定される。そのため、再印字があれば（Ｓ４７：ＹＥＳ）、吐出不能度判断部６２が吐出不能度が上昇したと判断し、受信データ管理部６３が処理Ｓ１０を実行する。再印字がなければ（Ｓ４７：ＮＯ）、インクが正常に吐出していたと想定される。そのため、吐出不能度判断部６２が吐出不能度が下降したと判断し、受信データ管理部６３が処理Ｓ１０を実行する。
【００４１】
図８に示すように、手動操作によらない印字が行われた場合に、排出トレイ７からの被記録媒体Ｍの取出し、その後の再印字の不実行は、リスク下降因子として検知される。排出トレイ７からの被記録媒体Ｍの取出し、その後の再印字の実行は、リスク上昇因子として検知される。手動操作によらない印字は、複合機１と通信可能に接続されたホストＰＣから受信したデータに係る画像を印字する場合が含まれる。
【００４２】
このような印字を行う場合、手動操作による画像記録とは異なり、使用者が複合機１の近くにいるとは限らない。そのため、印字完了後、被記録媒体Ｍが排出トレイ７からどのタイミングで取り上げられるのか不明である。よって、この制御では、図８に示す処理とは異なり、排出トレイセンサ５２の検出結果（被記録媒体Ｍが排出トレイ７に支持されているのか否か）が用いられる。
【００４３】
ホストＰＣなどの外部装置から受信したデータを印字し（Ｓ５１）、その印字が完了すると、排出トレイセンサ５２からの検出信号を監視し、被記録媒体Ｍが排出トレイ７から取り上げられたか否かを確認する。被記録媒体Ｍの取上げを検知すると（Ｓ５２）、タイマ６５で計時しながら所定時間待機する（Ｓ５３）。所定時間が経過すると、その期間内に吐出不能度の上昇が検知されて処理Ｓ１０が実行されたか否かを確認する（Ｓ５４）。処理Ｓ１０が実行されていれば（Ｓ４５：ＹＥＳ）、当該処理は完了する。処理Ｓ１０が実行されていなければ（Ｓ４５：ＮＯ）、所定時間が経過する間に、同じデータの再印字があったか否かを確認する（Ｓ５６）。再印字があれば（Ｓ５７：ＹＥＳ）、吐出不能度判断部６２が吐出不能度が上昇したと判断し、処理Ｓ１０が実行される。再印字がなければ（Ｓ５７：ＮＯ）、吐出不能度判断部６２が吐出不能度が下降したと判断し、処理Ｓ１０が実行される。
【００４４】
図９に示すように、一定期間以上の電源ＯＦＦ状態の継続は、リスク上昇因子として検知される。操作パネル６には電源のＯＮ／ＯＦＦを切り換えるボタンがあるが、使用者により当該ボタンが操作されて電源ＯＮ状態から電源ＯＦＦ状態に切り換えるように指令があると、画像形成部１３のノズル孔でインクの固化が生じないように、キャップ部材でノズルが密閉空間に封止される。しかし、密閉空間に封止していても、その期間が長期にわたるとインクの固化が生じる可能性がある。
【００４５】
電源ＯＦＦ状態の期間を計測可能にするため、制御部５０は、電源ＯＮ状態から電源ＯＦＦ状態に切り換えるように指令があると、その時点の時刻を記憶部６４に記憶させる。また、電源ＯＮ状態から電源ＯＦＦ状態に切り換えるように指令があると、その時点での吐出不能度を記憶部６４に記憶させる。また、電源ＯＦＦ状態においても、複合機１の内部バッテリにより、タイマ６５を動作させることが可能となっている。
【００４６】
電源ＯＦＦ状態から電源ＯＮ状態に切り換わると、記憶部６４から前回稼働時の吐出不能度を読み込む（Ｓ６１）。そして読み込んだ吐出不能度に応じて、処理Ｓ１０が実行され、記憶許容量が再設定される。そして、記憶部６４から直近に電源ＯＦＦ状態になった時刻を読み出し、現在の時刻を参照して、電源ＯＦＦ状態の期間を計測する（Ｓ６３）。その期間が所定期間未満であれば（Ｓ６４：ＮＯ）、処理を終了する。その期間が所定期間以上であれば（Ｓ６４：ＹＥＳ）、吐出不能度判断部６２が吐出不能度が上昇したと判断し、処理Ｓ１０が実行される。
【００４７】
このように、本実施形態によれば、複合機１においてインク吐出不良のリスクの度合いを上下させる様々な状況を考慮して、記憶許容量が増減される。そのため、吐出不能度の変化に良好に対応し、受信データの保管領域を効率よく確保できる。
【００４８】
これまで実施形態について説明したが、上記構成は本発明の範囲内で追加、変更または削除可能である。インク貯留部は、インクタンクに代えてインクカートリッジでもよい。上記実施形態では、インクタンクへのインク補充がリスク上昇因子として検知されたが、インクカートリッジを用いる場合には、インクカートリッジの交換が、インクの増加であるとして、リスク上昇因子として検知されてもよい。また、吐出不能度判断部６２により判断される吐出不能度が三段階に分かれているが、二段階でもよいし、４以上の段階に分かれていてもよい。また、上記実施形態では、リスク上昇因子またはリスク下降因子が検知されると、吐出不能度を１段階変化させたが、吐出不能度は２段階以上変化させてもよい。また、因子によって、吐出不能度を変化させる段階数を異ならせてもよい。
【符号の説明】
【００４９】
１  複合機
１３  画像形成部
１４  インク貯留部
６２  吐出不能度判断部
６３  受信データ管理部
【図１】
2018174427.tif 000003
【図２】
2018174427.tif 000004
【図３】
2018174427.tif 000005
【図４】
2018174427.tif 000006
【図５】
2018174427.tif 000007
【図６】
2018174427.tif 000008
【図７】
2018174427.tif 000009
【図８】
2018174427.tif 000010
【図９】
2018174427.tif 000011